(57)【要約】【課題】  ユーザからの入力なしにノークイックでコンピュータにプログラムをインストールすることができるインストール方法を提供する。【解決手段】  本発明のインストール方法は、ユーザが、被インストールプログラムが記憶されているＣＤ−ＲＯＭ、ＤＶＤ−ＲＯＭ又はその他の記憶媒体をＰＣ１０のドライブに挿入するか（ステップ４０１ａ）、インターネットなどのネットワークから被インストールプログラムをＤ／Ｌするだけでよい（ステップ４０１ｂ）。【選択図】  図４
2005100083.tif 000002
【特許請求の範囲】
【請求項１】
コンピュータにプログラムをインストールするインストーラであって、
インストールの際に、インストールされるプログラムの使用許諾の確認を行わない、
ことを特徴とするインストーラ。
【請求項２】
さらに、自動インストール又はカスタムインストールが選択可能である、ことを特徴とする請求項１記載のインストーラ。
【請求項３】
所定の時間内に自動インストール又はカスタムインストールの選択信号が入力されなかった場合には、自動インストールが実行される、ことを特徴とする請求項２記載のインストーラ。
【請求項４】
前記自動インストールは、ユーザからの入力指示を行わずにプログラムのインストールを完了する、ことを特徴とする請求項２又は３記載のインストーラ。
【請求項５】
前記カスタムインストールは、インストールされるプログラムの機能及び／又は当該プログラムの格納先を指定して、プログラムのインストールを行う、ことを特徴とする請求項２記載のインストーラ。
【請求項６】
インストールされるプログラムは、ＣＤ−ＲＯＭ、ＤＶＤ−ＲＯＭ又はその他の記録媒体からインストールされる、ことを特徴とする請求項１から５何れか記載のインストーラ。
【請求項７】
インストールされるプログラムは、ネットワークからダウンロードされる、ことを特徴とする請求項１から５何れか記載のインストーラ。
【請求項８】
コンピュータにプログラムをインストールする方法であって、
インストールされるプログラムの使用許諾の確認を行わずに、当該プログラムをインストールする、
ことを特徴とするインストール方法。
【請求項９】
さらに、自動インストール又はカスタムインストールが選択可能である、ことを特徴とする請求項８記載のインストール方法。
【請求項１０】
所定の時間内に自動インストール又はカスタムインストールの選択信号が入力されなかった場合には、自動インストールが実行される、ことを特徴とする請求項９記載のインストール方法。
【請求項１１】
前記自動インストールは、ユーザからの入力指示を行わずにプログラムのインストールを完了する、ことを特徴とする請求項９又は１０記載のインストール方法。
【請求項１２】
前記カスタムインストールは、インストールされるプログラムの機能及び／又は当該プログラムの格納先を指定して、プログラムのインストールを行う、ことを特徴とする請求項９記載のインストール方法。
【請求項１３】
インストールされるプログラムは、ＣＤ−ＲＯＭ、ＤＶＤ−ＲＯＭ又はその他の記録媒体からインストールされる、ことを特徴とする請求項８から１２何れか記載のインストール方法。
【請求項１４】
インストールされるプログラムは、ネットワークからダウンロードされる、ことを特徴とする請求項８から１２何れか記載のインストール方法。
【請求項１５】
コンピュータにプログラムをインストールさせるためのプログラムを記録した記録媒体であって、
前記請求項１乃至７記載のインストーラの機能を、コンピュータに実現させるためのプログラムを記録した記録媒体。
【請求項１６】
コンピュータにプログラムをインストールさせるためのプログラムを記録した記録媒体であって、
前記請求項８乃至１４記載のインストール方法の処理を、コンピュータに実現させるためのプログラムを記録した記録媒体。
【請求項１７】
コンピュータにプログラムをインストールさせるためのプログラムであって、
前記請求項１乃至７記載のインストーラの機能を、コンピュータに実現させるためのプログラム。
【請求項１８】
コンピュータにプログラムをインストールさせるためのプログラムであって、
前記請求項８乃至１４記載のインストール方法の処理を、コンピュータに実現させるためのプログラム。
【発明の詳細な説明】
【技術分野】
【０００１】
本発明は、コンピュータにプログラムをインストールするためのインストーラ、インストール方法、記憶媒体及びプログラムに関する。特には、原則としてユーザからの入力なしにノークイックでコンピュータにプログラムをインストールすることができるインストーラ、インストール方法、記憶媒体及びプログラムに関する。
【背景技術】
【０００２】
図５は、コンピュータにプログラムをインストールするための従来からの一般的なインストール方法を示すフローチャートである。
【０００３】
図５において、ユーザが、ＰＣ（Ｐｅｒｓｏｎａｌ  Ｃｏｍｐｕｔｅｒ）などのコンピュータのＣＤ−ＲＯＭドライブやＤＶＤ−ＲＯＭドライブに、インストールするプログラム（以下、「被インストールプログラム」ともいう）を記録したＣＤ−ＲＯＭやＤＶＤ−ＲＯＭを挿入すると、若しくは、インターネットから被インストールプログラムをダウンロードすると、被インストールプログラムに含まれるインストーラが作動し、被インストールプログラムのインストールが開始される（ステップ５０１）。
【０００４】
インストールが開始されると、最初の画面でプログラム使用許諾書の内容が表示され、その内容に同意するか否かを指示するボタンをクリックする（ステップ５０２）。ここで、「同意しない」を選択すると、被インストールプログラムのインストールは、直ちに中止され終了する。
【０００５】
ステップ５０２で、「同意する」を選択すると、被インストールプログラムのインストールが実行され、最初に、カスタムインストールかデフォルトのインストール（推奨インストール）かを選択する（ステップ５０３）。
【０００６】
ステップ５０３で、カスタムインストールが選択されると、被インストールプログラムの各機能を選択してインストールするためのチェックリスト画面が表示され、詳細設定が行えるようになっている（ステップ５０４）。
【０００７】
ステップ５０３で、推奨インストールが選択されるか、またはカスタムインストールの詳細設定（ステップ５０４）が終了すると、被インストールプログラムのインストール先（格納場所）を指定する画面が表示される（ステップ５０５）。一般的には、この画面でデフォルトの（推奨）インストール先が表示されており、インストール先を変更する場合には「変更」や「参照」ボタンを選択する（ステップ５０５）。
【０００８】
ステップ５０５で、「変更」や「参照」ボタンが選択されると、被インストールプログラムのインストール先（格納場所）を指定する画面が表示され、ここで、所望するインストール先を指定する（ステップ５０６）。
【０００９】
ステップ５０５で、「ＯＫ」や「次ぎ」のボタンが選択されるか、ステップ５０６で所望するインストール先が指定されると、被インストールプログラムのインストール処理が開始され、インストールが行われる（ステップ５０７）。
【００１０】
上述において、ステップ５０３及びステップ５０４とステップ５０５及びステップ５０６の順序が逆の場合がある。
【００１１】
以上のようにして、ＰＣなどのコンピュータに被インストールプログラムをインストールし、コンピュータ上で当該プログラムを実行することができるようになる。
【００１２】
しかしながら、従来のプログラムのインストール方法では、ユーザ側から必ず数回の入力指示（図５のステップ５０２、ステップ５０３、ステップ５０５）を行わなければならず手間がかかり、コンピュータの操作に不慣れな人、特に、お年寄りや子供などは、この入力指示の操作のために被インストールプログラムをインストールできないという場合もあった。
【発明の開示】
【発明が解決しようとする課題】
【００１３】
従って、本発明の目的は、原則としてユーザからの入力なしにノークイックでコンピュータにプログラムをインストールすることができるインストーラ、インストール方法、記憶媒体及びプログラムを提供することである。
【課題を解決するための手段】
【００１４】
上記課題を解決するため、本発明のインストーラは、コンピュータにプログラムをインストールするインストーラであって、インストールの際に、インストールされるプログラムの使用許諾の確認を行わない、ことを特徴とする。
【００１５】
さらに、自動インストール又はカスタムインストールが選択可能である、ことができる。
【００１６】
また、所定の時間内に自動インストール又はカスタムインストールの選択信号が入力されなかった場合には、自動インストールが実行される、ようにするとよい。
【００１７】
ここで、自動インストールは、ユーザからの入力指示を行わずにプログラムのインストールを完了する、ようにする。
【００１８】
また、カスタムインストールは、インストールされるプログラムの機能及び／又は当該プログラムの格納先を指定して、プログラムのインストールを行う、ことができる。
【００１９】
また、インストールされるプログラムは、ＣＤ−ＲＯＭ、ＤＶＤ−ＲＯＭ又はその他の記録媒体からインストールされる、ことができる。
【００２０】
または、インストールされるプログラムは、ネットワークからダウンロードされる、ようにすることもできる。
【００２１】
また、上記課題を解決するため、本発明のインストール方法は、コンピュータにプログラムをインストールする方法であって、インストールされるプログラムの使用許諾の確認を行わずに、当該プログラムをインストールする、ことを特徴とする。
【００２２】
さらに、自動インストール又はカスタムインストールが選択可能である、ようにする。
【００２３】
また、所定の時間内に自動インストール又はカスタムインストールの選択信号が入力されなかった場合には、自動インストールが実行される、ようにするとよい。
【００２４】
ここで、自動インストールは、ユーザからの入力指示を行わずにプログラムのインストールを完了する、ことができる。
【００２５】
また、カスタムインストールは、インストールされるプログラムの機能及び／又は当該プログラムの格納先を指定して、プログラムのインストールを行う、ことができる。
【００２６】
ここで、インストールされるプログラムは、ＣＤ−ＲＯＭ、ＤＶＤ−ＲＯＭ又はその他の記録媒体からインストールされる、ことができる。
【００２７】
または、インストールされるプログラムは、ネットワークからダウンロードされる、こともできる。
【００２８】
また、上記課題を解決するため、本発明の第１の態様の記録媒体は、コンピュータにプログラムをインストールさせるためのプログラムを記録した記録媒体であって、上述のインストーラの機能を、コンピュータに実現させるためのプログラムを記録した記録媒体であることを特徴とする。
【００２９】
また、上記課題を解決するため、本発明の第２の態様の記録媒体は、コンピュータにプログラムをインストールさせるためのプログラムを記録した記録媒体であって、上述のインストール方法の処理を、コンピュータに実現させるためのプログラムを記録した記録媒体であることを特徴とする。
【００３０】
また、上記課題を解決するため、本発明の第１の態様のプログラムは、コンピュータにプログラムをインストールさせるためのプログラムであって、上述のインストーラの機能を、コンピュータに実現させるためのプログラムであることを特徴とする。
【００３１】
また、上記課題を解決するため、本発明の第２の態様のプログラムは、コンピュータにプログラムをインストールさせるためのプログラムであって、上述のインストール方法の処理を、コンピュータに実現させるためのプログラムであることを特徴とする。
【００３２】
インストールの際に、インストールされるプログラムの使用許諾の確認を行わず、所定の時間内に自動インストール又はカスタムインストールの選択信号が入力されなかった場合には、自動インストールが実行されるため、ユーザからの入力なしにノークイックでコンピュータにプログラムをインストールすることができる。
【発明の効果】
【００３３】
本発明のインストーラ、インストール方法、記憶媒体及びプログラムによれば、インストールの際に、インストールされるプログラムの使用許諾の確認を行わず、所定の時間内に自動インストール又はカスタムインストールの選択信号が入力されなかった場合には、自動インストールが実行されるため、ユーザからの入力なしにノークイックでコンピュータにプログラムをインストールすることができる。
【発明を実施するための最良の形態】
【００３４】
以下、図面を参照して本発明のインストーラ、インストール方法、記憶媒体及びプログラムの実施の形態を説明する。
【００３５】
図１は、ＰＣ（Ｐｅｒｓｏｎａｌ  Ｃｏｍｐｕｔｅｒ）へのインストールするプログラム（以下、「被インストールプログラム」ともいう）のインストールを示す図である。図１において、被インストールプログラムは、インターネットなどのネットワークからＤ／Ｌ（Ｄｏｗｎ  Ｌｏａｄ）されるか、または、ＣＤ−ＲＯＭやＤＶＤ−ＲＯＭなどの記録媒体からＰＣ１０へインストールされる。
【００３６】
ここで、ＰＣ１０は、プログラムの実行などの処理を行うＣＰＵ（Ｃｅｎｔｒａｌ  Ｐｒｏｃｃｅｓｓｉｎｇ  Ｕｎｉｔ）１１と、ＢＩＯＳやイニシエーションプログラムなどを記憶するＲＯＭ（Ｒｅａｄ  Ｏｎｌｙ  Ｍｅｍｏｒｙ）１２と、実行するプログラムや処理するデータを記憶するＲＡＭ（Ｒａｎｄｏｍ  Ａｃｃｅｓｓ  Ｍｅｍｏｒｙ）１３と、プログラムやデータを記憶するＨＤ（Ｈａｒｄ  Ｄｉｓｋ）を制御するＨＤＤ（Ｈａｒｄ  Ｄｉｓｋ  Ｄｒｉｖｅ）１４と、液晶やブラウン管などの表示部１５と、キーボードやマウス、表示部１５上に設けられたタッチパネルなどの入力部１６と、ＣＤ−ＲＯＭやＤＶＤ−ＲＯＭを制御するＣＤ／ＤＶＤドライブ１７と、インターネットなどのネットワークとの通信を制御する通信制御部１８と、を備えている。
【００３７】
図２は、本発明のコンピュータにプログラムをインストールするためのインストール方法を示すフローチャートである。
【００３８】
図２において、ユーザが、ＰＣ１０などのコンピュータのＣＤ−ＲＯＭドライブ１７やＤＶＤ−ＲＯＭドライブ１７に、インストールする被インストールプログラムを記録したＣＤ−ＲＯＭやＤＶＤ−ＲＯＭを挿入すると、若しくは、インターネットから被インストールプログラムをダウンロードすると、被インストールプログラムに含まれるインストーラが作動し、被インストールプログラムのインストールが開始される（ステップ２０１）。
【００３９】
インストールが開始されると、被インストールプログラムのインストールが実行され、最初に、カスタムインストール（「カスタム」）か、自動（デフォルト）のインストール（「自動（推奨）」）か、「キャンセル」かを選択する画面が表示される（ステップ２０２）。
【００４０】
図３は、カスタムインストールかデフォルトのインストール（推奨インストール）かを選択する画面を示す図である。ここで、「キャンセル」が選択されれば、インストール処理は中止され終了する。
【００４１】
ステップ２０２で、カスタムインストール（「カスタム」）が選択されると、被インストールプログラムの各機能を選択してインストールするためのチェックリスト画面（図示せず）が表示され、詳細設定を行った後、被インストールプログラムのインストールが行われる（ステップ２０３）。
【００４２】
図３の画面上で、推奨インストール（「自動」）が選択されるか（ステップ２０４）、または所定時間（例えば、３０秒）が経過した場合（ステップ２０５）には、被インストールプログラムのインストール処理が開始され、インストールが行われる（ステップ２０６）。
【００４３】
以上のようにして、ＰＣ１０などのコンピュータに被インストールプログラムをインストールし、ＰＣ１０などのコンピュータ上で当該プログラム（被インストールプログラム）を実行することができるようになる。
【００４４】
ここで、本発明においては、原則として、従来のインストーラのように被インストールプログラムのインストール先（格納場所）を指定する画面を表示しない。インストール先（格納場所）を指定（変更）する必要があれば、カスタムインストールで行うようにする。
【００４５】
ここで、本発明においては、ステップ２０２及びステップ２０３はなくともよい。また、ステップ２０２〜ステップ２０５を省いてもよい。
【００４６】
図４は、上述の場合の本発明のコンピュータにプログラムをインストールするためのインストール方法を示すフローチャートである。図４に示すように、ユーザは、被インストールプログラムが記憶されているＣＤ−ＲＯＭ、ＤＶＤ−ＲＯＭ又はその他の記憶媒体をＰＣ１０のドライブに挿入するか（ステップ４０１ａ）、インターネットなどのネットワークから被インストールプログラムをＤ／Ｌするだけでよい（ステップ４０１ｂ）。
【００４７】
また、上述に示すように、被インストールプログラムのインストールの際には、プログラム使用許諾の同意画面を表示することがない。この同意は、プログラムの最初の起動時に行う、パッケージのシールや包装紙の開封の際に行うなどの手段にする。
【００４８】
以上のようにして、ＰＣなどのコンピュータに被インストールプログラムをインストールし、コンピュータ上で当該プログラムを実行することができるようになる。
【図面の簡単な説明】
【００４９】
【図１】ＰＣへの被インストールプログラムのインストールを示す図である。
【図２】本発明のコンピュータにプログラムをインストールするためのインストール方法を示すフローチャートである。
【図３】本発明のインストーラによる表示画面を示す図である。
【図４】本発明のコンピュータにプログラムをインストールするためのインストール方法を示すフローチャートである。
【図５】コンピュータにプログラムをインストールするための従来からの一般的なインストール方法を示すフローチャートである。
【符号の説明】
【００５０】
１０  ＰＣ
１１  ＣＰＵ
１２  ＲＯＭ
１３  ＲＡＭ
１４  ＨＤＤ
１５  表示部
１６  入力部
１７  ＣＤ／ＤＶＤドライブ
１８  通信制御部
【図１】
2005100083.tif 000003
【図２】
2005100083.tif 000004
【図３】
2005100083.tif 000005
【図４】
2005100083.tif 000006
【図５】
2005100083.tif 000007